(57)【要約】【課題】コンパクトで携帯でき、簡単にロングブーツを直立状に保持できるロングブーツスタンドを提供する。【解決手段】小径軸より漸大径軸に挿入される任意段数のスライド軸１の適宜部には、伸縮体３とクリップ２がそれぞれ装着され、該クリップ２には伸縮体３により引圧をかける。【選択図】図１
2007136129.tif 000002
【特許請求の範囲】
【請求項１】
小径軸より漸大径軸に挿入される任意段数のスライド軸の適宜部には、伸縮体とクリップがそれぞれ装着され、該クリップには伸縮体により引圧がかかることを特徴とするロングブーツスタンド。
【発明の詳細な説明】
【技術分野】
【０００１】  本発明は、ロングブーツを直立状に保持するロングブーツスタンドに関する。
【背景技術】
【０００２】  従来、ロングブーツが倒れたり胴筒が折れたりして湿気を溜めたり、型崩れや皺を防ぐため、直立状に保持するには、ブーツスタンドやブーツキーパー及びブーツクリップなどの商品名のものが主流であった。
【発明の開示】
【発明が解決しようとする課題】
【０００３】  ところが上記ブーツスタンドは台座に垂直管を固定し、その垂直管に、フックを固定したスティックを挿入する機構で、一足の直立状のロングブーツの胴筒上縁内側にフックを緩挿するもので、ロングブーツの材質によっては胴筒が縮退し、フックより外れる可能性があった。【０００４】  ブーツキーパーは、ロングブーツの胴筒内に差し込むもので形が大きく保管にはスペースを必要とし、かさばるため、整理整頓上問題があった。【０００５】  ブーツスティックは一足のロングブーツ胴筒に深く差し込み挟んだ状態で直立状に保持するものであるが、スティックが細いため、ロングブーツの材質によっては不安定であった。【０００６】  又、上記商品はいずれも携帯できるサイズのものではなく、オフィスなどで履き替える場合は別にその商品を用意しなければならず、特に訪問先や出先でロングブーツを脱ぐ場合は直立状に保持する対策がなかった。【０００７】  本発明は、斯かる事情に鑑みてなされたもので、従来の前記問題を一挙に解決することが出来るロングブーツスタンドを提供することを目的とする。
【課題を解決するための手段】
【０００８】  前記目的を達成するために、本発明のロングブーツスタンドは、小径軸より漸大径軸に挿入される任意段数のスライド軸の適宜部には、伸縮体とクリップがそれぞれ装着され、該クリップには伸縮体により引圧がかかることを特徴とする。【０００９】  この特徴によれば、小径軸より漸大径軸に挿入されたスライド軸に伸縮体とクリップがそれぞれ装着されている。この伸縮体はロングブーツ胴筒の上縁を挟着するクリップを引き上げる機能をもち、ロングブーツを容易に直立状に保持する。よって、このスライド軸は伸縮体によるストロークがあるため、ロングブーツの長さと同長に合わせる面倒さはなく、この伸縮体が長さ調節をする。
【発明の効果】
【００１０】  本発明によるロングブーツスタンドは、一足のロングブーツ胴筒を合わせ、その胴筒上縁内側部をコンパクトに縮小されているスライド軸の一端に装着しているクリップで挟着し、スライド軸をロングブーツの長さより長く引き伸ばして略直立状にする。このときスライド軸はロングブーツの底面より下方へ突出している。その状態でロングブーツの底面が床面に接し伸縮体が機能する範囲までスライド軸を押し下げることにより、ロングブーツを直立状に保持することができる。又、クリップは引き上げる力が伸縮体により働いているため、ロングブーツの胴筒は張られた状態にある。【００１１】  このように、コンパクトで持ち歩きができ、いつでもどこでも煩わしさもなく簡単に使用でき、ロングブーツの型崩れや皺を防止し、湿気を溜めず清潔に保つことができる、非常に便利なロングブーツスタンドである。【００１２】  尚、本発明において「小径軸が漸大軸に挿入」とは径違いの軸管が細い径から順次に太い径の方に挿入されることであり、「引圧」とは引き上げる力を意味する。
【発明を実施するための最良の形態】
【００１３】  添付図面において、図１は本発明の一実施例に係るロングブーツスタンドの一部を切断した正面図。図２は伸縮体の外圧を解除した状態を示す一部を切断した正面図。図３はロングブーツを直立状に保持した状態を示す斜視図。図４は伸縮体の他例を示す正面図である。【００１４】  先ず、図１〜図３において、スライド軸１の最大径軸とそれに挿入される次大径軸（２番目に大きい径軸）間には伸縮体３が収納されている。その次大径軸には伸縮体３（ここではスプリングコイル使用）を押圧するリング４が略中間部に固着している。又、このスライド軸１の最大径軸の先端には、伸縮体３を押圧状態に保つトップ６と、螺合するニップル５が螺着されている。このニップル５は次大径軸以後の飛び出も押える。【００１５】  スライド軸１の最小径軸先端部には、クリップ２が遊着されたトップ６が固着され、更にこのトップ６はニップル５と螺合するよう成形されている。【００１６】  携帯するときは、トップ６を押し下げニップル５に螺入することによりコンパクトになる。このときスライド軸１の次大径軸（２番目に大きい径軸）以後は、伸縮体３を押圧しているのでそれによる反発力がかかっている。【００１７】  螺入したトップ６を外すと伸縮体３の復元力により、次大径軸に固着したリング４がニップル５に当接するまで伸びる。このストロークがロングブーツの長さとスライド軸１の長さを合わせなくても長さ調整の可能範囲となる。【００１８】  トップ６を外し一足のロングブーツの胴筒７を合わせ、トップ６に遊着されているクリップ２で挟み、スライド軸１をロングブーツの長さより長く引き伸ばし直立状にすると、このスライド軸１はロングブーツ底面より下方に突出する。この状態でスライド軸１をロングブーツ底面が床面に接するまで押し下げることにより、ロングブーツを直立状に保持することができる。【００１９】  このとき伸縮体３により次大径軸（２番目に大きい径軸）以後は押し上げられた状態を保ち、ロングブーツの胴筒７が張られた状態にある。【００２０】  図４は、伸縮体３の一端をスライド軸１の最小径軸先端に、他端をクリップ２に固着したものである。この場合も伸縮体３の伸縮によるストロークで調整ができる。【００２１】  この場合は伸縮体３の一方をスライド軸１の先端に直接固着しても良く、この場合トップ６やニップル５が不用となる。【００２２】  以上、本発明の実施例について説明したが、本発明はその実施例に限定されることなく、本発明の範囲内で種々の実施例が可能である。たとえば前記実施例ではスライド軸１の軸径の最小径軸の先端に固着したトップ６にクリップ２を遊着しているが、このスライド軸を逆さにした状態で、クリップ２をスライド軸１の最大径部の先端となる位置（図示せず）に遊着しても良い。又、トップ６部を色々なキャラクターに成形しても良く、スライド軸１の接地部を広くしたり滑りにくい材質にしても良く、又、この部分にもキャラクターをキャップ式に装着（図示せず）し、携帯時はこのキャップをはめることで、接地面の汚れ感を解消できる。
【図面の簡単な説明】
【００２３】
【図１】  本発明の一実施例に係る外軸（一番径の大きい軸）及びトップを切断した正面図
【図２】  伸縮体の外圧を解除した状態を示す正面図
【図３】  ロングブーツを直立状に保持した状態を示す斜視図
【図４】  伸縮体の他例を示す正面図
【符号の説明】
【００２４】１．．．．．スライド軸
２．．．．．クリップ
３．．．．．伸縮体
４．．．．．リング
５．．．．．ニップル
６．．．．．トップ
７．．．．．ロングブーツ胴筒
【図１】
2007136129.tif 000003
【図２】
2007136129.tif 000004
【図３】
2007136129.tif 000005
【図４】
2007136129.tif 000006